(57)【要約】【課題】通信線を通信線接続部材の接続端子から取り外さずに端子盤の交換を行うことが可能な端子盤及びその交換方法を提供する。【解決手段】第１の通信線４０が接続される第１の接続端子３４と第２の通信線４０が接続される第２の接続端子３４とを有する通信線接続部材１２ａが、前記第１及び第２の接続端子が表裏それぞれから突出された状態で装着される装着用開口部２２ａを備えた端子盤１０において、前記装着用開口部２２ａを有する第１の端子盤１４と、該第１の端子盤１４に着脱可能に構成された第２の端子盤１６と、を備え、少なくとも前記第１又は第２の通信線４０を前記第１の端子盤１４の所定の縁側から外に移動することができるように、前記装着用開口部２２ａの前記所定の縁側の一部又は全部が開放されており、前記第２の端子盤１６が前記第１の端子盤１４に装着された際に前記装着用開口部２２ａの開放された部分が塞がれるように構成されている。【選択図】図１
2007179801.tif 000002
【特許請求の範囲】
【請求項１】
第１の通信線が接続される第１の接続端子と第２の通信線が接続される第２の接続端子とを有する通信線接続部材が、前記第１及び第２の接続端子が表裏それぞれから突出された状態で装着される装着用開口部を備えた端子盤において、
前記装着用開口部を有する第１の端子盤と、該第１の端子盤に着脱可能に構成された第２の端子盤と、を備え、
少なくとも前記第１又は第２の通信線を前記第１の端子盤の所定の縁側から外に移動することができるように、前記装着用開口部の前記所定の縁側の一部又は全部が開放されており、
前記第２の端子盤が前記第１の端子盤に装着された際に、前記装着用開口部の開放された部分が塞がれるように構成されていることを特徴とする端子盤。
【請求項２】
第１の通信線が接続される第１の接続端子と第２の通信線が接続される第２の接続端子とを有する通信線接続部材が、前記第１及び第２の接続端子が表裏それぞれから突出された状態で装着される装着用開口部を備えた端子盤の装着用開口部に、少なくとも前記第１又は第２の通信線を前記端子盤の所定の縁側から外に移動することができるように、前記装着用開口部の前記所定の縁側の一部又は全部を切断により開放する第１工程と、
前記第１及び第２の通信線、前記第１及び第２の接続端子、並びに前記通信線接続部材のいずれかを前記開放された部分を通して前記通信線接続部材を前記端子盤から取り外す第２工程と、
前記第１及び第２の通信線、前記第１及び第２の接続端子、並びに前記通信線接続部材のいずれかを請求項１記載の端子盤の前記第１の端子盤の開放された部分を通して前記第１の端子盤の装着用開口部に前記通信線接続部材を装着する第３工程と、
前記第１の端子盤に前記第２の端子盤を装着して前記開放された部分を塞ぐ第４工程と、
を備えたことを特徴とする端子盤の交換方法。
【請求項３】
請求項１記載の一の端子盤の装着用開口部に通信線接続部材が装着するとともに、前記第２の端子盤が前記第１の端子盤に装着した状態で、前記第２の端子盤を前記第１の端子盤から取り外す第１工程と、
前記第１及び第２の通信線、前記第１及び第２の接続端子、並びに前記通信線接続部材のいずれかを前記開放された部分を通して前記通信線接続部材を前記一の端子盤から取り外す第２工程と、
前記第１及び第２の通信線、前記第１及び第２の接続端子、並びに前記通信線接続部材のいずれかを請求項１記載の他の端子盤の前記第１の端子盤の開放された部分を通して前記第１の端子盤の装着用開口部に前記通信線接続部材を装着する第３工程と、
前記第１の端子盤の所定の縁に前記第２の端子盤を装着して前記開放された部分を塞ぐ第４工程と、
を備えたことを特徴とする端子盤の交換方法。
【発明の詳細な説明】
【技術分野】
【０００１】
本発明は、二つの光通信ケーブルなど通信線を接続する通信線接続部材が複数配設された端子盤に関する。
【背景技術】
【０００２】
従来から、通信線接続部材を束ねるなどの目的のため、端子盤が用いられている（特許文献１参照）。従来の端子盤５０は、図１０に示すように通信線接続部材５２が挿入され装着可能な装着用開口部５４が複数、例えば１２個長手方向に連なって形成されている。一方、各通信線接続部材５０は、互いに相反する方向を向いた一対の接続端子５６、５６を有しており、一対の接続端子５６、５６の中間位置には、上下方向に突出するフランジ５２Ａ、５２Ａが形成されている。そして、通信線接続部材５２を端子盤に装着する場合、一方の接続端子５６を装着用開口部５４に挿入して、フランジ５２Ａ、５２Ａを端子盤５０の表面に当接させ、その表面にフランジ５２Ａ、５２Ａを螺子止めすることによって、通信線接続部材５２を端子盤５０に装着できるように構成されている。端子盤５０に装着された通信線接続部材５２は、一対の接続端子５６、５６をそれぞれ端子盤の表面又は裏面から突出させ、それぞれに光ケーブルなどの通信線５８、５８の接続端子５８Ａ、５８Ａが連結される。
【０００３】
このような端子盤５０は、通信技術の発達により、通信線接続部材５２の増設が必要とされ、そのため装着用開口部５４が足りなくなるなどの理由で交換しなければならない場合がある。端子盤５０を交換する場合は、図１１に示すように通信線５８、５８を通信線接続部材５２の接続端子５６、５６から外した後、通信線接続部剤５２を端子盤５０から外し、新しい端子盤５０に通信線接続部剤５２を装着した後に通信線５８、５８を接続端子５６、５６に再度接続しなければならない。
【０００４】
【特許文献１】特開２００４−２１４０２２号公報
【発明の開示】
【発明が解決しようとする課題】
【０００５】
このような従来の端子盤を交換する場合、一旦、通信線を通信線接続部材の接続端子から外さなければならないので、その間、通信を中断しなければならず、他の回線を借用しなければならない。この回線の借用という作用は、時間と手間を要し、他の回線の借用ができない場合は、交換作業を中止しなければならない。
【０００６】
そこで、本発明は、通信線を通信線接続部材の接続端子から取り外さずに端子盤の交換を行うことが可能な端子盤及びその交換方法を提供することを目的とする。
【課題を解決するための手段】
【０００７】
以上の目的を達成するため、本発明は、第１の通信線が接続される第１の接続端子と第２の通信線が接続される第２の接続端子とを有する通信線接続部材が、前記第１及び第２の接続端子が表裏それぞれから突出された状態で装着される装着用開口部を備えた端子盤において、前記装着用開口部を有する第１の端子盤と、該第１の端子盤に着脱可能に構成された第２の端子盤と、を備え、少なくとも前記第１又は第２の通信線を前記第１の端子盤の所定の縁側から外に移動することができるように、前記装着用開口部の前記所定の縁側の一部又は全部が開放されており、前記第２の端子盤が前記第１の端子盤に装着された際に前記装着用開口部の開放された部分が塞がれるように構成されていることを特徴とする。
【０００８】
以上のように、本発明に係る端子盤によれば、第１の端子盤が少なくとも第１又は第２の通信線を所定の縁側から外に移動することができるように前記装着用開口部の前記所定の縁側の一部又は全部が開放されているので、第１及び第２の通信線それぞれが通信線接続部材の第１及び第２の接続端子に接続された状態で、通信線接続部材を第１の端子盤から取り外すことができる。
【０００９】
また、本発明は、第１の通信線が接続される第１の接続端子と第２の通信線が接続される第２の接続端子とを有する通信線接続部材が、前記第１及び第２の接続端子が表裏それぞれから突出された状態で装着される装着用開口部を備えた端子盤の装着用開口部に、少なくとも前記第１又は第２の通信線を前記端子盤の所定の縁側から外に移動することができるように、前記装着用開口部の前記所定の縁側の一部又は全部を切断により開放する第１工程と、前記第１及び第２の通信線、前記第１及び第２の接続端子、並びに前記通信線接続部材のいずれかを前記開放された部分を通して前記通信線接続部材を前記端子盤から取り外す第２工程と、前記第１及び第２の通信線、前記第１及び第２の接続端子、並びに前記通信線接続部材のいずれかを請求項１記載の端子盤の前記第１の端子盤の開放された部分を通して前記第１の端子盤の装着用開口部に前記通信線接続部材を装着する第３工程と、前記第１の端子盤に前記第２の端子盤を装着して前記開放された部分を塞ぐ第４工程と、を備えたことを特徴とする端子盤の交換方法である。
【００１０】
さらに、本発明は、 請求項１記載の一の端子盤の装着用開口部に通信線接続部材が装着するとともに、前記第２の端子盤が前記第１の端子盤に装着した状態で、前記第２の端子盤を前記第１の端子盤から取り外す第１工程と、前記第１及び第２の通信線、前記第１及び第２の接続端子、並びに前記通信線接続部材のいずれかを前記開放された部分を通して前記通信線接続部材を前記一の端子盤から取り外す第２工程と、前記第１及び第２の通信線、前記第１及び第２の接続端子、並びに前記通信線接続部材のいずれかを請求項１記載の他の端子盤の前記第１の端子盤の開放された部分を通して前記第１の端子盤の装着用開口部に前記通信線接続部材を装着する第３工程と、前記第１の端子盤の所定の縁に前記第２の端子盤を装着して前記開放された部分を塞ぐ第４工程と、を備えたことを特徴とする端子盤の交換方法である。
【発明の効果】
【００１１】
以上のように本発明によれば、通信線を通信線接続部材の接続端子から取り外さずに端子盤の交換を行うことが可能な端子盤及びその交換方法を提供することができる。
【発明を実施するための最良の形態】
【００１２】
次に、本発明に係る端子盤の第１実施例について、図面に基づいて説明する。図１は、第１実施例に係る端子盤１０の斜視図であり、図２は、第１実施例に係る端子盤１０に通信線接続部材１２ａ、１２ｂ・・・が装着された状態を示す斜視図であり、図３は、その正面図であり、図４は、図３のＡ−Ａ´線に沿った断面図である。第１実施例に係る端子盤１０は、前面、上面、左右側面からなる長手方向に延びる直方体状に形成されており、第１端子盤１４及び第２端子盤１６から構成されている。
【００１３】
第１端子盤１４は、長手方向に延びる正面１４Ａ及び左右側面１４Ｂ、１４Ｂを有し、左右側面１４Ｂ、１４Ｂの底辺には、外方向に突出する底面フランジ１４Ｃ、１４Ｃが形成され、左右側面１４Ｂ、１４Ｂの上辺には、内方向に突出する上面フランジ１４Ｄ、１４Ｄが形成されている。底面フランジ１４Ｃ、１４Ｃには、端子盤１０を設置するのに用いられる螺子穴１８、１８が形成されており、上面フランジ１４Ｄ、１４Ｄには、第２端子盤１６を第１端子盤１４に取り付けるのに用いられる螺子穴２０、２０が形成されている。
【００１４】
第１端子盤１４の正面１４Ａには、通信線接続部材１２ａ、１２ｂ・・・が挿入されて装着可能な複数の装着用開口部２２ａ、２２ｂ・・・が長手方向に連なって形成されている。これら装着用開口部２２ａ、２２ｂ・・・は、図５に示すように上縁がなく上方が開放される一方で櫛状の複数の側縁２３・・・が形成され、上方から通信線接続部材１２ａ、１２ｂ・・・を挿入して装着できるように構成されている。また、第１端子盤１４の各装着用開口部２２ａ、２２ｂ・・・それぞれの下方には、通信線接続部材１２ａ、１２ｂ・・・を固定するのに用いられる螺子穴２４・・・が形成されている。さらに、第１端子盤１４の正面１４Ａの両端の装着用開口部２２ａ、２２ｂ・・・より外側には、後述する第２端子盤１６の正面１６Ｂの底辺が当接可能な段差２６Ａ、２６Ｂが形成されており、この段差２６Ａ、２６Ｂの上面と櫛状の側縁２３・・・の上面は、同じ高さに形成されている。
【００１５】
第２端子盤１６は、長手方向に延びる上面１６Ａ、及び長手方向に延びる正面１６ＢからなるＬ字状に形成されている。第２端子盤１６の正面１６Ｂの底辺は、第２端子盤１６が第１端子盤１４に取り付けられた際に、段差２６Ａ、２６Ｂ並びに櫛状の側縁２３Ｂ・・・の上面に当接して、装着用開口部２２ａ、２２ｂ・・・の上方を塞ぐように構成されている。また、第２端子盤１６の正面１６Ｂの下方の装着用開口部２２ａ、２２ｂ・・・に整合する位置には、通信線接続部材１２ａ、１２ｂ・・・を固定するのに用いられる螺子穴２８・・・が形成されている。第２端子盤１６の上面１６Ａの両端は、正面１６Ｂよりも長手方向に延びるように突出しており、第２端子盤１６が第１端子盤１４に装着する際に、第１端子盤１４の上面フランジ１４Ｄ、１４Ｄに当接するように構成されている。これら上面１６Ａの両端には、フランジ１４Ｄ、１４Ｄの螺子穴２０、２０と整合する位置に螺子穴３０、３０が形成されており、第２端子盤１６を第１端子盤１４に取り付けて、ねじ３２、３２を螺子穴２０、２０、並びに３０、３０に螺合させることによって、第２端子盤１６を第１端子盤１４に固定することができる。
【００１６】
第１実施例に係る端子盤１０に装着されている通信線接続部剤１２ａ、１２ｂ・・・は、図４に示すように互いに相反する方向を向いた一対の接続端子３４、３４を有しており、一対の接続端子３４、３４の中間位置には、上下方向に突出するフランジ３６、３６が形成されている。そして、フランジ３６、３６を端子盤１０の表面に当接させ、その表面にフランジ３６、３６を固定螺子３８で螺子止めすることによって、通信線接続部材１２ａ、１２ｂ・・・を端子盤１０に装着できるように構成されている。端子盤１０に装着された通信線接続部材１２ａ、１２ｂ・・・は、一対の接続端子３４、３４をそれぞれ端子盤の表面又は裏面から突出させ、それぞれに光ケーブル４０、４０の接続端子４０Ａ、４０Ａが連結される。
【００１７】
次に、従来の端子盤から第１実施例に係る端子盤１０に交換する方法について説明する。先ず、図６に示すように通信線接続部材１２ａ、１２ｂ・・・の固定螺子３８を外すことによって、光ケーブル４０、４０を接続端子３４、３４に接続させた状態で通信線接続部材１２ａ、１２ｂ・・・を従来の端子盤４２の装着用開口部４４から引き抜く。次に、図７に示すように従来の端子盤４２の装着用開口部４４の上方を切断することにより、装着用開口部４４の上方を開放し、光ケーブル４０をその開放された部分を通すことによって、光ケーブル４０、４０を接続端子３４、３４に接続させた状態で、通信線接続部材１２ａ、１２ｂ・・・を装着用開口部４４から取り外す。次に、図８に示すように光ケーブル４０、４０を接続端子３４、３４に接続させた状態で通信線接続部材１２ａ、１２ｂ・・・を第１実施例に係る通信用端子盤１０の第１端子盤１４の装着用開口部２２ａ、２２ｂ・・・に上方から挿入して装着し、次いで第２端子盤１６を第１端子盤１４に取り付けて、ねじ３２、３２によって固定し、次いで通信線接続部材１２ａ、１２ｂ・・・を固定螺子３８によって固定する。このように従来の端子盤から第１実施例に係る端子盤への交換を行うことができる。
【００１８】
また、第１実施例に係る端子盤１０を第１実施例に係る他の端子盤１０に交換する場合、第２端子盤１６を第１端子盤１４から取り外し、接続部財１２ａ、１２ｂ・・・を第１端子盤１４から光ケーブル４０、４０を接続端子３４、３４に接続させた状態で取り外し、新しい端子盤１０に光ケーブル４０、４０を接続端子３４、３４に接続させた状態で装着すことによって、第２端子盤１６を第１端子盤１４に取り付けることによって行うことができる。
【００１９】
次に、本発明に係る端子盤の第２実施例について図面に基づいて説明する。第２実施例に係る端子盤の開口部２２は、図９に示すように第１実施例の装着用開口部２２ａ、２２ｂ・・・のように櫛状の側縁２３・・・を有せず、長手方向に延びる一つの開口を形成している。したがって、各通信線接続部材１２ａ、１２ｂ・・・は、螺子穴２４・・・及び２８・・・を固定螺子３８によって螺子止めすることによって整合され、固定される。
【図面の簡単な説明】
【００２０】
【図１】本発明に係る端子盤の第１実施例の斜視図である。
【図２】第１実施例に係る端子盤に通信線接続部材が装着された状態の斜視図である。
【図３】第１実施例に係る端子盤に通信線接続部材が装着された状態の正面図である。
【図４】図３のＡ−Ａ´線に沿った断面図である。
【図５】第１実施例に係る端子盤の第１の端子盤から第２の端子盤を取り外した状態の斜視図である。
【図６】通信線を接続端子に接続した状態で、従来の端子盤から通信線接続部剤を取り外した状態の斜視図である。
【図７】従来の端子盤の上方を開放した状態の斜視図である。
【図８】通信線を接続端子に接続した状態で、第１実施例に係る端子盤の第１の端子盤に通信線接続部剤を装着し、第２の接続端子盤を取り付ける状態の斜視図である。
【図９】本発明に係る端子盤の第２実施例の斜視図である。
【図１０】従来の端子盤の斜視図である。
【図１１】従来の端子盤から通信線接続部剤を取り外す状態の斜視図である。
【符号の説明】
【００２１】
１０   端子盤
１２ａ、１２ｂ・・・ 通信線接続部剤
１４   第１の端子盤
１６   第２の端子盤
２２ａ、２２ｂ・・・ 装着用開口部
３４   接続端子
４０   光ケーブル（通信線）
【図１】
2007179801.tif 000003
【図２】
2007179801.tif 000004
【図３】
2007179801.tif 000005
【図４】
2007179801.tif 000006
【図５】
2007179801.tif 000007
【図６】
2007179801.tif 000008
【図７】
2007179801.tif 000009
【図８】
2007179801.tif 000010
【図９】
2007179801.tif 000011
【図１０】
2007179801.tif 000012
【図１１】
2007179801.tif 000013